(57)【要約】【課題】個別に包装することなく、又コスト高を招来することなく、餌の摂取量を維持し増大できるようにしたペットフードを提供する。【解決手段】１又は複数の雑魚の煮干し（１０）を小粒状に砕いた第１の素材（１１）と、鰹節（２０）を小粒状に砕くか又削り節を小薄片状に砕いた第２の素材（２１）とを混合し、この混合物をペットフードの主たる成分とする。第１の素材はその縦横厚みの各々を１ｍｍ以上５ｍｍ未満の範囲内の寸法、第２の素材はその縦横厚みの各々を１ｍｍ以上５ｍｍ未満の範囲内の寸法又は縦横の各々を１ｍｍ以上５ｍｍ未満の範囲内の寸法で厚みを１ｍｍ未満の寸法にするのがよい。【選択図】        図１
2004283158.tif 000002
【特許請求の範囲】
【請求項１】
１又は複数の雑魚の煮干しを小粒状に砕いた第１の素材と、鰹節を小粒状に砕くか又は削り節を小薄片状に砕いた第２の素材とが混合された混合物を、主たる成分としたことを特徴とするペットフード。
【請求項２】
上記第１の素材はその縦横厚みの各々が１ｍｍ以上５ｍｍ未満の範囲内の寸法であり、上記第２の素材はその縦横厚みの各々が１ｍｍ以上５ｍｍ未満の範囲内の寸法又は縦横の各々が１ｍｍ以上５ｍｍ未満の範囲内の寸法で厚みが１ｍｍ未満の寸法である請求項１記載のペットフード。
【請求項３】
縦横厚みの各々が２ｍｍ以下の第１の素材と縦横厚みの各々が２ｍｍ以下又は縦横の各々が２ｍｍ以下で厚みが１ｍｍ未満の第２の素材との混合物が、全体の７５容量％以上を占め、他の固形状ペットフードにふりかけて与えるようになした請求項１記載のペットフード。
【請求項４】
縦横厚みの各々が２ｍｍ以上の第１の素材と、縦横厚みの各々が２ｍｍ以上又は縦横の各々が２ｍｍ以上で厚みが１ｍｍ未満の第２の素材との混合物が、全体の５０容量％以上を占め、単独で与えてペットの食欲を誘因するようになした請求項１記載のペットフード。
【請求項５】
上記第１の素材が、小さい鰯、鰺及び鯖のうちの１つ又は複数を素材とする請求項１ないし４のいずれかに記載のペットフード。
【発明の詳細な説明】
【０００１】
【発明の属する技術分野】
本発明はペットフードに関し、特に個別に包装することなく、又コスト高を招来することなく、餌の摂取量を維持し増大できるようにしたペットフードに関する。
【０００２】
【従来の技術】
最近、毎日の生活に潤いを待たせるべく、犬や猫等をペットとして飼う人が多くなり、ペットに与えるペットフードについても多種多様なものが市販されている（例えば、特許文献１、特許文献２、等参照）。
【０００３】
このペットフードは概ね、水分含有量が５０重量％以上のモイストタイプ、２０〜４０重量％のセミモイストタイプ、及び１０重量％以下のドライタイプの三種類に分類されるが、取扱いや保存の観点からセミモイストタイプやドライタイプの需要が増大する傾向にある。
【０００４】
しかし、セミモイストタイプ及びドライタイプのペットフードは嗜好性があまり高くなく、同じものを与え続けると飽きがきて餌の摂取量が少なくなってしまうという不具合がある。
【０００５】
そこで、嗜好性を高めたペットフードが提案されている。例えば、煮熟され焙乾された鰹、鮪又は鮭の切り身肉又はほぐし肉からなるペットフード（特許文献１）、乾燥魚類、乾燥肉類及び乾燥海苔類の少なくとも１種の小片（長さ５〜５０ｍｍ、幅が２〜２０ｍｍ）を固形状ペットフードに混合するようにしたペットフードが提案されている。
【０００６】
【特許文献１】特開平１１−２５３１０９号公報
【特許文献２】特開２００１−２５８４８２号公報
【０００７】
【発明が解決しようとする課題】
しかし、前者のペットフードでは煮熟及び焙乾に時間がかかり、コスト高になってしまう。他方、後者のペットフードでは固形状ペットフードと小片とが分離して小片だけが残りやすく、１食分又は１日分を個別に包装する必要が生じ、コスト高になってしまう。
【０００８】
本発明はかかる問題点に鑑み、個別に包装することなく、又コスト高を招来することなく、餌の摂取量を維持し増大できるようにしたペットフードを提供することを課題とする。
【０００９】
【課題を解決するための手段】
本発明に係るペットフードは、１又は複数の雑魚の煮干しを小粒状に砕いた第１の素材と、鰹節を小粒状に砕くか又は削り節を小薄片状に砕いた第２の素材とが混合された混合物を、主たる成分としたことを特徴とする。
【００１０】
この特徴により、煮干しの風味と鰹節の匂いとによってペットの食欲をそそるとともに、摂取したときに良好な噛み心地と舌感が得られ、餌の摂取量の少ないペットあるいは体調不良のペットであっても餌の摂取量を維持し増大できることが期待される。
【００１１】
主たる成分とは全体のうちの少なくとも５０％容量以上を本発明の混合物が占めることを意味する。また、雑魚の煮干しを用いたのは乾燥した雑魚では生臭さが残り、ペットによってはこれを嫌うことがあるからである。
【００１２】
雑魚は小さい鰯、鰺、鯖、その他の小さい魚をいう。本発明では比較的入手しやすい小さい鰯、鰺、鯖の１又は複数を第１の素材に用いるのがよい。即ち、第１の素材は小さい鰯、鰺及び鯖のうちの１つ又は複数を素材とするのがよい。
【００１３】
第１の素材と第２の素材の混合割合は容量比で５０％：５０％を基本とするが、ペットの種類、例えば犬や猫、ペットの体格、ペットの体調等に応じて９５％：５％〜５％：９５％までの範囲で適宜増減するのがよい。
【００１４】
第１の素材及び第２の素材の大きさは本発明に係るペットフードの与え方、例えば他のペットフードにふりかけて与えるか、あるいは単独で与えるかによって適宜選択するが、ペットの食べやすさを考慮すると、第１の素材はその縦横厚みの各々を１ｍｍ以上５ｍｍ未満の範囲内の寸法とし、第２の素材はその縦横厚みの各々を１ｍｍ以上５ｍｍ未満の範囲内の寸法又は縦横の各々を１ｍｍ以上５ｍｍ未満範囲内の寸法で厚みを１ｍｍ未満の寸法とするのがよい。
【００１５】
また、他の固形ペットフードにふりかけて与える場合、縦横厚みの各々が２ｍｍ以下の第１の素材と縦横厚みの各々が２ｍｍ以下又は縦横の各々が２ｍｍ以下で厚みが１ｍｍ未満の第２の素材との混合物が、全体の７５容量％以上を占めるようにするのがよい。この場合、本発明に係るペットフードを先端部又は先端面に適当な大きさの振出し孔を有する容器に収容するのがよい。
【００１６】
また、単独で与えてもペットの食欲をそそることができるので、この場合には縦横厚みの各々が２ｍｍ以上の第１の素材と、縦横厚みの各々が２ｍｍ以上又は縦横の各々が２ｍｍ以上で厚みが１ｍｍ未満の第２の素材との混合物が、全体の５０容量％以上を占め、単独で与えてペットの食欲を誘因するようになすのが好ましい。
【００１７】
【発明の実施の形態】
以下、本発明を図面に示す具体例に基づいて詳細に説明する。図１ないし図３は本発明に係るペットフードの好ましい実施形態を示す。本例のペットフードを製造する場合、鰯の煮干し１０と鰹節２０とを用い、鰹節２０を適切な大きさ、例えば鰯の煮干し１０と同程度の大きさに切断し（ステップＳ１０）、鰯の煮干し１０と鰹節２０の小片とを例えばジューサーミキサーに入れ、ジューサーミキサーを作動させる（ステップＳ１１）。
【００１８】
すると、鰯の煮干し１０及び鰹節２０の小片はジューサーミキサーの回転刃によって砕かれるので、適切な時間が経過すると、ジューサーミキサーの作動を停止させると、鰯の煮干し１０を小粒状とした第１の素材１１と鰹節２０の小片を小粒状とした第２の素材２１とを混合した混合物が得られる（ステップＳ１２）。ジューサーミキサーの作動時間は後述の第１の素材１１及び第２の素材２１が所定の範囲内の粒径となるように予め求めておくのがよい。
【００１９】
このときの第１の素材１１は縦Ｌ１、横Ｗ１、及び厚みＤ１の各々が１ｍｍ以上５ｍｍ未満の範囲内の寸法であり、上記第２の素材２１はその縦Ｌ２、横Ｗ２、及び厚みＤ２の各々が１ｍｍ以上５ｍｍ未満の範囲内の寸法である。
【００２０】
また、縦Ｌ１、横Ｗ１、及び厚みＤ１の各々が１ｍｍ以上２ｍｍ以下の範囲内の寸法の第１の素材１１及び縦Ｌ１、横Ｗ２、及び厚みＤ２の各々が１ｍｍ以上２ｍｍ以下の範囲内の寸法の第２の素材２１は、全体の７５容量％以上、好ましくは８０容量％以上を占めている。
【００２１】
さらに、第１の素材１１と第２の素材２１との混合比率は５０容量％：５０容量％を基本とし、ペットに応じて適宜増減されている。
【００２２】
得られた混合物は図３に示されるような容器３０に入れる。この容器３０は本体が透明又は半透明なガラス又はプラスチックで製作され、先端開口には中蓋で塞がれ、中蓋には３ｍｍ程度の振出し穴３１が複数形成され、又キャップの振出し穴３１は開閉自在な上蓋３２で塞がれるようになっている。
【００２３】
本来のペットフードは他の固形状ペットフードにふりかけて与える。すると、鰯の煮干し１０の風味と鰹節２０の匂いとによってペットの食欲をそそるとともに、摂取したときに良好な噛み心地と舌感が得られ、餌の摂取量の少ないペットあるいは体調不良のペットであっても餌の摂取量を維持し増大できる。
【００２４】
なお、上記の例では固形容器に混合物を収容するようにしたが、図４に示される袋状容器４０に収容するようにしてもよい。
【００２５】
また、上記の例では鰹節２０を用いるようにしたが、鰹節の削り節を用いるようにしてもよい。この場合、第２の素材２１は縦Ｌ３及び横Ｗ３のおのおのが各々が１ｍｍ以上５ｍｍ未満の範囲内の寸法であり、厚みＤ３が１ｍｍ未満とするのがよい。
【００２６】
さらに、上記の例ではふりかけに用いる場合について説明したが、単独で与えるペットフードとすることもできる。この場合には縦横厚みの各々が２ｍｍ以上の第１の素材と、縦横厚みの各々が２ｍｍ以上又は縦横の各々が２ｍｍ以上で厚みが１ｍｍ未満の第２の素材との混合物が、全体の５０容量％以上を占めるようにするのがよい。
【図面の簡単な説明】
【図１】本発明に係るペットフードの好ましい実施形態における製造方法を模式的に示す図である。
【図２】上記実施形態における第１、第２の素材の形状の例を示す図である。
【図３】上記実施形態によるペットフードを入れた容器の例を示す斜視図である。
【図４】他の容器の例を示す図である。
【符号の説明】
１０      鰯の煮干し
１１      第１の素材
２０      鰹節
２１      第２の素材
【図１】
2004283158.tif 000003
【図２】
2004283158.tif 000004
【図３】
2004283158.tif 000005
【図４】
2004283158.tif 000006